(57)【要約】【課題】絶縁性液体の電荷密度を求めることにより、循環している絶縁性液体であっても、その静電気発生量を正確に評価でき、液入電気機器の信頼性を向上させることが可能な絶縁性液体の電荷密度診断装置およびその方法を提供する。【解決手段】フィルタタンク５にはフィルタ３から大地への漏れ電流Ｉを計測する直流電流計９が設けられている。配管１０内における絶縁油１１の流量を計測する流量計１２が設置されている。また、直流電流計９および流量計１２には電荷密度測定部１６が接続されている。電荷密度測定部１６は電流計９が計測した漏れ電流Ｉと、流量計１２が計測した絶縁油１１のポンプ流量Ｆと、循環系中の絶縁油の体積Ｖおよび体積抵抗率ρから、絶縁油１１の電荷密度Ｑｃを求める。【選択図】図１
2007303890.tif 000002
【特許請求の範囲】
【請求項１】
固体絶縁物が組み込まれた循環系に流れる絶縁性液体の電荷密度を診断する絶縁性液体の電荷密度診断装置において、
前記固体絶縁物から大地への漏れ電流を計測する電流計と、
前記循環系内における前記絶縁性液体の流量を計測する流量計と、
前記電流計が計測した漏れ電流と、前記流量計が計測した前記絶縁性液体の流量と、前記循環系中の前記絶縁性液体の体積および前記絶縁性液体の体積抵抗率から、前記絶縁性液体の電荷密度を求める電荷密度算出手段を備えたことを特徴とする絶縁性液体の電荷密度診断装置。
【請求項２】
前記絶縁性液体の電荷密度を監視して、その値が予め定められた規定値以内であるように管理する電荷密度監視手段を備えたことを特徴とする請求項１に記載の絶縁性液体の電荷密度診断装置。
【請求項３】
前記循環系内の液体流量を制御する流量制御手段を備え、
前記電荷密度監視手段は、前記絶縁性液体中の電荷密度が前記規定値を超えていると判断した場合、前記流量制御手段に前記循環系内の液体流量を変化させる指令を送り、前記規定値以内に収まるように前記絶縁性液体中の電荷密度を管理するように構成したことを特徴とする請求項２に記載の絶縁性液体の電荷密度診断装置。
【請求項４】
固体絶縁物が組み込まれた循環系に流れる絶縁性液体の電荷密度を診断する絶縁性液体の電荷密度診断方法において、
前記固体絶縁物から大地への漏れ電流を計測する漏れ電流計測ステップと、
前記循環系内における前記絶縁性液体の流量を計測する流量計測ステップと、
前記電流計が計測した漏れ電流と、前記流量計が計測した前記絶縁性液体の流量と、前記循環系中の前記絶縁性液体の体積および前記絶縁性液体の体積抵抗率から、前記絶縁性液体の電荷密度を求める電荷密度算出ステップを含むことを特徴とする絶縁性液体の電荷密度診断方法。
【請求項５】
前記絶縁性液体の電荷密度を監視して、その値が予め定めた規定値以内であるように管理する電荷密度監視ステップを含むことを特徴とする請求項４に記載の絶縁性液体の電荷密度診断方法。
【請求項６】
前記循環系内の液体流量を制御する流量制御ステップを含み、
前記電荷密度監視ステップでは、前記絶縁性液体中の電荷密度が前記規定値を超えていると判断した場合、前記流量制御ステップを実施して前記循環系内の液体流量を変化させ、前記規定値以内に収まるように前記絶縁性液体中の電荷密度を管理することを特徴とする請求項５に記載の絶縁性液体の電荷密度診断方法。
【発明の詳細な説明】
【技術分野】
【０００１】
本発明は、絶縁油に代表される絶縁性液体を封入した液入電気機器において絶縁性液体中の静電気発生量を評価する技術に係り、特に、絶縁性液体が循環する液入電気機器において絶縁性液体中の静電気蓄積量すなわち電荷密度を診断する電荷密度診断装置およびその方法に関するものである。
【背景技術】
【０００２】
絶縁油入電気機器やパーフルオロカーボン入電気機器など絶縁性液体が封入された液入電気機器内では、機器内部に固体絶縁物が使用されているので、固体絶縁物上に絶縁性液体が流れることで両者の間に静電気が発生して帯電現象が生じる。これを流動帯電現象と呼んでいる。
【０００３】
例えば、鉱油系の絶縁油が流動する配管にフィルタを設置した場合、このフィルタで絶縁油を濾過する際に流動帯電現象が発生する。フィルタの材質が紙等のセルロース系の材料であれば、絶縁油は正に帯電し、フィルタは負に帯電する。流動帯電現象による静電気発生量は、絶縁性液体や固体絶縁物の材質や温度、液体の流速等に大きく依存する。
【０００４】
液入電気機器内部の絶縁性液体や固体絶縁物は熱や酸素などにより劣化が激しいので、静電気発生量も大きく変わることになる。帯電した絶縁性液体は気中にさらすと静電気放電が発生する。静電気放電が生じると、火災や機器を破損させる等、重大な被害を招くおそれがあった。このため、液入電気機器における静電気発生量を正確に評価することは、液入電気機器の信頼性を確保する上で不可欠である。
【０００５】
そこで従来から、絶縁性液体の静電気発生量を評価する技術が種々提案されている。特許文献１に記載の技術では、電気機器に使用している絶縁物と同一の材料を別途用意し、この絶縁物を静電気発生部に用いて、そこを流動する絶縁液体の静電気発生量を計測するようになっている。しかし、この技術では、静電気発生量計測用の固体絶縁物を準備しなくてはならず、評価作業に関するコストが高くなっていた。
【０００６】
上記の手法以外にも、帯電した絶縁性液体を機器から採取しファラデーケージに導いて静電気発生量を直接的に分析する方法、流動する絶縁性液体中にセンサを挿入して静電気発生量を測定する方法、さらには静電気発生部における固体絶縁物の漏れ電流を測定する方法等がある（静電気学会編：「静電気ハンドブック」p501〜p504,オーム社(1998)）。
【０００７】
これらの技術のうち、絶縁性液体を採取して分析する場合には、採取した絶縁性液体を収容する設備を設ける必要があり、スペース的にもコスト的にも不利であった。また、循環系内の絶縁性液体中にセンサを直接挿入する場合は、次のような問題点があった。
【０００８】
すなわち、センサ自体と絶縁性液体との間で流動帯電現象が起こって帯電するため、使用できる液体流速に制限があった。また、高速な流れの中にセンサがさらされるとセンサが破損する危険がある。しかも、センサが故障した場合、絶縁性液体の循環を停止させ配管内の液体を抜いてセンサの修理や交換作業を行う必要がある。このように循環系内の絶縁性液体中にセンサを直接挿入する方法では、取り扱いが非常に煩雑であった。
【０００９】
そこで、上記の従来技術の中では、固体絶縁物の漏れ電流を測定する方法が、簡単に静電気発生量を評価できる技術として、頻繁に利用されていた。以下、図４を参照して、固体絶縁物の漏れ電流を測定し、その値から絶縁性液体の静電気発生量を評価する方法について説明する。図４の従来例は油入機器４に供給される絶縁油１１に対して用いられる方法である。
【００１０】
図４に示すように、絶縁油１１が収容された貯油タンク１にはポンプ２を介挿したポンプ側配管７の一端が接続され、また、そのポンプ側配管７の他端部に絶縁フランジ６ａを介してフィルタタンク５の一端が接続されている。このフィルタタンク５内には絶縁油１１を濾過するためのフィルタ３が収納されている。
【００１１】
また、フィルタタンク５の他端には絶縁フランジ６ｂを介して油入機器側配管８が接続され、さらに油入機器４が接続されている。フィルタタンク５は絶縁フランジ６ａ、６ｂによって左右のポンプ側配管７、油入機器側配管８と電気的に絶縁され、直流電流計９を介して接地されている。貯油タンク１内の絶縁油１１は、ポンプ２を用いてフィルタ３を通して濾過、浄化され、油入機器４に移送される。絶縁油１１がフィルタ３を通過する時、流動帯電現象が起こり、絶縁油１１は正に、フィルタ３は負に帯電する。
【００１２】
絶縁油１１中の正電荷は、フィルタ３を通過して油入機器４に流入する。一方、フィルタ３に残された負電荷はフィルタタンク５を介して直流電流計９を通って大地に漏れ電流として流れる。この漏れ電流Ｉを直流電流計９にて測定することによってフィルタ３での静電気発生量を評価することができる。
【００１３】
フィルタ３を通過した後の絶縁油１１にはフィルタ３と同量で逆極性の電荷が発生しているので、その単位体積当りの帯電電荷量すなわち電荷密度Ｑは、ポンプ２の油流量をＦとすると、以下の式から評価できる。
Ｑ＝Ｉ／Ｆ
【００１４】
なお、電流の連続則から、直流電流計９で測定される漏れ電流Ｉは、フィルタ３を通過した後の流出電流Ｉｏｕｔから、フィルタ３を通過する前の流入電流Ｉｉｎを差し引いた大きさである。すなわち、
Ｉ＝Ｉｏｕｔ−Ｉｉｎ
となる。
【００１５】
ここではフィルタ３を通過する前の流入電流Ｉｉｎ、つまりフィルタ３通過前の絶縁油１１の電荷密度は、前記電荷密度Ｑに対して非常に小さいと仮定しているので、直流電流計９で測定される漏れ電流Ｉと、フィルタ３を通過した後の流出電流Ｉｏｕｔは、ほぼ同じ大きさであると見なすことができる。したがって、フィルタ３からの漏れ電流Ｉから絶縁油１１の静電気発生量を評価することが可能となる。
【００１６】
ところで、前記図４の従来例では、貯油タンク１から油入機器４へと絶縁油１１を一方的に供給する構成であるが、実際にはフィルタ３で濾過した絶縁油１１を還流させて再び濾過する構成、つまり絶縁油１１を循環させたものが多用されている。すなわち、図５に示すように、油入機器４とポンプ２が配管１０によって接続され、ポンプ２、フィルタ３、油入機器４間で絶縁油１１が循環するようになっている。
【００１７】
このような図５の従来例によれば、絶縁油１１の濾過能力が向上するだけではなく、自然環境に悪影響を与えかねない絶縁油１１の廃棄処理量を抑制することができる。しかも、油入機器４を運転状態にしたままの状態で絶縁油１１を浄化させることができるので、優れた稼動効率を獲得できるといった利点がある。
【特許文献１】特開２０００−２７３４号公報
【発明の開示】
【発明が解決しようとする課題】
【００１８】
しかしながら、図５に示した従来例においては、次のような問題点が指摘されていた。すなわち、フィルタ３を通過した絶縁油１１中の電荷は、油入機器４、ポンプ２を通って再びフィルタ３に還流し、それが再びフィルタ３を通過する。そのため、帯電した絶縁油１１に流動帯電現象が起きて、更に帯電することになる。
【００１９】
このように循環する絶縁油１１はフィルタ３を通過するたびに静電気が蓄積されていく。つまり、循環系の絶縁油１１の電荷密度Ｑｃは、フィルタ３を循環することで正帰還がかかり、絶縁油１１が循環系でない場合の電荷密度Ｑ（＝Ｉ／Ｆ）に比べて、桁違いに大きくなると考えられる。
【００２０】
上述したように、直流電流計９で測定される漏れ電流Ｉは、フィルタ３を通過した後の流出電流Ｉｏｕｔから、フィルタ３を通過する前の流入電流Ｉｉｎを差し引いた大きさなので、図４に示した従来例のようにフィルタ３を通過する前の流入電流Ｉｉｎが非常に小さく仮定していれば、直流電流計９で測定される漏れ電流Ｉを、フィルタ３を通過した後の流出電流Ｉｏｕｔと考えて差し支えなかった。
【００２１】
ところが、循環系における絶縁油１１では電荷密度の増大に伴ってフィルタ３を通過する前の流入電流Ｉｉｎが非常に大きくなるので、直流電流計９が測定した漏れ電流Ｉは、フィルタ３前後での絶縁油１１の持つ電流の差分を表しているに過ぎず、フィルタ３での静電気発生量を表すだけになる。つまり、図５に示す従来例のように、絶縁油１１が循環する場合、漏れ電流Ｉを測定する方法では、絶縁油１１中にどの程度、静電気が発生しているのかは分からなかった。
【００２２】
以上のように、絶縁性液体が循環することで絶縁性液体中の電荷密度が大きくなると、フィルタ等の固体絶縁物からの漏れ電流に基づいて、絶縁性液体の静電気発生量を正確に評価することができなかった。したがって、液入電気機器の信頼性を高めるべく、絶縁性液体の静電気発生量を正確に把握するためには、絶縁油１１の静電気蓄積量つまり電荷密度を測定、診断することが求められていた。
【００２３】
本発明は、このような事情に鑑みて提案されたものであり、その目的は、絶縁性液体の電荷密度を求めることにより、循環している絶縁性液体であっても、その静電気発生量を正確に評価でき、液入電気機器の信頼性を向上させることが可能な絶縁性液体の電荷密度診断装置およびその方法を提供することにある。
【課題を解決するための手段】
【００２４】
上記目的を達成するために、本発明は、固体絶縁物が組み込まれた循環系に流れる絶縁性液体の電荷密度を診断する絶縁性液体の電荷密度診断装置において、前記固体絶縁物から大地への漏れ電流を計測する電流計と、前記循環系内における前記絶縁性液体の流量を計測する流量計と、前記電流計が計測した漏れ電流と、前記流量計が計測した前記絶縁性液体の流量と、前記循環系中の前記絶縁性液体の体積および前記絶縁性液体の体積抵抗率から、前記絶縁性液体の電荷密度を求める電荷密度算出手段を備えたことを特徴とするものである。
【００２５】
以上のような本発明では、循環系内に流れる絶縁性液体の流量と液体体積から、絶縁性液体が循環に要する時間スケールを求める。また、絶縁性液体の体積抵抗率から絶縁性液体中の電荷が時間的に減少する時間スケールを求める。これらの２つの時間スケールと、電流計にて測定した漏れ電流係から、絶縁性液体の電荷密度を求めることができる。したがって、循環系内の機器の運転を停止させることなく、しかも絶縁性液体の採取も必要ないので、外部から短時間で安全に、絶縁性液体の電荷密度を診断することができる。
【発明の効果】
【００２６】
本発明の絶縁性液体の電荷密度診断装置およびその方法によれば、固体絶縁物からの漏れ電流と、絶縁性液体の流量と、絶縁性液体の体積および体積抵抗率から、絶縁性液体の電荷密度を容易に求めることができるため、循環系における絶縁性液体中の静電気発生量を正確且つ安全に評価することが可能となり、液入電気機器の信頼性が向上した。
【発明を実施するための最良の形態】
【００２７】
以下、本発明を実施するための最良の形態（実施形態）について、図面を参照して詳細に説明する。
（１）第１の実施形態
（１−１）全体構成
図１に、本発明における第１の実施形態を示す。本実施形態では、図５に示した従来例と同じく、油入機器４とポンプ２が配管１０によって接続され、ポンプ２、フィルタ３、油入機器４間で絶縁油１１が循環するようになっている。また、フィルタタンク５にはフィルタ３から大地への漏れ電流Ｉを計測する直流電流計９が設けられている。
【００２８】
本実施形態の特徴として、配管１０内における絶縁油１１の流量を計測する流量計１２が設置されている。さらに、直流電流計９および流量計１２には電荷密度測定部１６が接続されている。電荷密度測定部１６には、循環時間算出部１３、時定数算出部１４、電荷密度算出部１５が設けられている。
【００２９】
循環時間算出部１３は、配管１０内に流れる絶縁油１１の流量Ｆと、配管１０および油入機器４を含めた絶縁油１１の体積Ｖから、絶縁油１１が配管１０を循環するのに要する時間Ｔ（Ｔ＝Ｖ／Ｆ）を算出する部分である。時定数算出部１４は、絶縁油１１の体積抵抗率ρおよび誘電率εから絶縁油１１中の電荷が時間的に減少する時定数τ（τ＝ερ）を算出する部分である。電荷密度算出部１５は、電流計９が計測した漏れ電流Ｉと、循環時間算出部１３および時定数算出部１４が求めた２つの時間スケールとの関係から、絶縁油１１の電荷密度Ｑｃを求めるようになっている。
【００３０】
（１−２）電荷密度測定部１６
続いて、電荷密度測定部１６における絶縁油１１の電荷密度Ｑｃの測定手順について、図２を用いて詳しく説明する。図２は、図１における循環系を、その主構成要素であるポンプ２、フィルタ３、油入機器４及び直流電流計９を１つのユニットＡとして、循環ループの無い開放系で表現したブロック図である。
【００３１】
図２に示すように、循環ループの無い開放系では、このユニットＡを無限個直列に接続したもので、循環系が表現される。すなわち、図中の符号Ｎを無限大とした場合である。ここで、ポンプ流量をＦ、フィルタ３から大地に流れる漏れ電流をＩ、ユニットＡ内の絶縁油１１の体積をＶ、絶縁油１１の体積抵抗率、誘電率をそれぞれρ、εとしている。
【００３２】
ユニットＡについて着目すると、ユニットＡ内の絶縁油１１の体積Ｖが全てユニットＡ外に流出する時間Ｔは、次の式で表される。
Ｔ＝Ｖ／Ｆ
すなわち、この時間Ｔが循環時間算出部１３によって算出される値である。
【００３３】
また、ユニットＡ内のフィルタ３で発生した絶縁油１１の電荷が、時間的に減少する時定数τは、絶縁油１１の体積抵抗率ρ、誘電率εの積で表される。
τ＝ερ
この時定数τが時定数算出部１４によって算出される値である。
【００３４】
よって、１つのユニットを絶縁油１１が通過した場合、絶縁油１１中の電荷密度の増加分ΔＱは、
ΔＱ＝Ｑ・exp(-α)
となる。ただし、Ｑ＝Ｉ／Ｆ、α＝Ｔ／τで、ユニットＡに入る前の電荷密度の初期値Ｑ０はゼロとした。
【００３５】
次にユニットがＮ個直列接続された場合、Ｎ番目のユニットＮを通過した後の絶縁油１１中の電荷密度について考える。ユニットＮを通過した絶縁油の電荷密度ＱＮは、以下の総和である。
ユニット１で発生した電荷がユニットＮを通過した分：Ｑ・exp[-(N-1)α]
ユニット２で発生した電荷がユニットＮを通過した分：Ｑ・exp[-(N-2)α]
ユニットＮで発生した電荷がユニットＮを通過した分：Ｑ・exp[-(N-N)α]= Ｑ
これを数式で表現すると以下となる。なお、exp,εは自然対数の底である。
【数１】
2007303890.tif 000003
【００３６】
前述したように、循環系においてユニット数は無限になると見なせるから、
【数２】
2007303890.tif 000004
とすると循環系内の絶縁油１１中の電荷密度Ｑｃは、以下に収束する。
【数３】
2007303890.tif 000005
この電荷密度Ｑｃが電荷密度算出部１５の求める値である。すなわち、漏れ電流Ｉとポンプ流量Ｆから導いたＱと、循環時間算出部１３および時定数算出部１４が算出した２つの時間スケールＴ、τから導いたαとを用いて、絶縁油１１の電荷密度Ｑｃを求めるようになっている。
【００３７】
（１−３）作用効果
以上の第１の実施形態においては、次のような作用効果を生じる。すなわち、固体絶縁物であるフィルタ３からの漏れ電流Ｉ、循環系内の絶縁油１１の流量Ｆ、体積Ｖ、および体積抵抗率ρ、誘電率εから、電荷密度測定部１６が循環系における絶縁油１１中の電荷密度Ｑｃを測定し、その評価を行うことができる。
【００３８】
前記の物理量は全て油入機器４外部から容易に測定可能であるため、電荷密度Ｑｃの測定作業は循環系内の油入機器４の運転に影響を与えることはない。さらに、循環系内の絶縁油１１を採取することもないので、外部への絶縁油１１の流出や静電気放電による発火のおそれがなく、環境への影響が小さく、安全性が高い評価が可能となる。
【００３９】
以上述べたように、本実施形態によれば、外部から測定可能な物理量（漏れ電流Ｉ、循環系内の絶縁油１１の流量Ｆ、体積Ｖ、および体積抵抗率ρ、誘電率ε）から絶縁油１１の電荷密度Ｑｃを簡単に求めることができる。このため、絶縁油１１が循環してフィルタ３を何度も通過して電荷密度Ｑｃが増大したとしても、絶縁油１１中の静電気発生量を正確且つ安全に評価することが可能となり、油入機器４の信頼性が向上した。
【００４０】
（２）第２の実施形態
（２−１）構成
続いて、本発明に係る第２の実施形態について図３を参照して説明する。図３に示すように、第２の本実施形態では、図１に示した前記第１の実施形態と同じく、絶縁油１１が循環する油入機器４に適用されるものであって、直流電流計９、流量計１２、電荷密度測定部１６に加えて、流量制御部１７および電荷密度監視部１８が設けられている点に特徴がある。
【００４１】
流量制御部１７はポンプ２のポンプ流量Ｆを制御する部分である。電荷密度監視部１８は、絶縁油１１の電荷密度Ｑｃを監視して、絶縁油１１の電荷密度Ｑｃが予め定められた規定値を超えていると判断した場合に、流量制御部１７に指令を送って、その値を規定値以内に管理する部分である。
【００４２】
すなわち、第２の実施形態は、上記の第１の実施形態で説明した絶縁油１１中の電荷密度Ｑｃの測定を、油入機器４運転中において監視・記録し、これが規定値を超えた場合には静電気放電による油入機器４の破壊の危険性が高まったと判断して、対応措置を取るようにしたものである。
【００４３】
（２−２）ポンプ流量Ｆと電荷密度Ｑｃとの関係
ところで、絶縁油１１中の電荷密度Ｑｃが規定値を超えた場合の対応措置に内容としては、ポンプ流量Ｆを減らして絶縁油１１中の電荷密度Ｑｃを規定値以下に低下させる、あるいは油入機器４の運転および絶縁油１１の循環を停止させて補修を行うことが考えられる。ここでポンプ流量Ｆが、電荷密度Ｑｃに対してどのように作用するかを説明する。
【００４４】
前述したように、α＝Ｔ／τ＝Ｖ／（Ｆ・τ）であるから、αは絶縁油１１の体積Ｖに比例し、ポンプ流量Ｆに逆比例する。αが小さくなる程、すなわち絶縁油１１の体積Ｖが小さく、ポンプ流量Ｆが大きくなる程、電荷密度Ｑｃは増加することになる。
【００４５】
特に、ポンプ流量Ｆに関しては、Ｑ＝Ｉ／Ｆであるが、漏れ電流Ｉはポンプ流量Ｆの２〜４乗に比例するので、ポンプ流量ＦはＱに対しても単調増加であり、これも電荷密度Ｑｃを増加させる方向に作用させる。
【００４６】
電荷密度Ｑｃを小さくしたい場合は、絶縁油１１の体積Ｖを大きくする、あるいはポンプ流量Ｆを小さくすることによって制御できる。絶縁油１１の体積Ｖを変化させる方法は、循環系に余分な油タンクを追加して機器の大型化を招き経済的に得策といえない。
【００４７】
これに対して、ポンプ流量Ｆを変化させることはインバータ等によってポンプ２の電源周波数を変化させることによって容易かつ精密に行うことができる。このように電荷密度Ｑｃを制御するには、絶縁油１１の体積Ｖを変化させるよりもポンプ流量Ｆを制御する方が有効且つ適切である。
【００４８】
（２−３）作用効果
そこで、本実施の形態においては、ポンプ流量Ｆを制御することで電荷密度Ｑｃを制御している。すなわち、電荷密度監視部１８によって油入機器４運転時の絶縁油１１の電荷密度Ｑｃを監視し、規定値以上の電荷密度Ｑｃの値が検出された際には、静電気放電による油入機器４の破壊の危険性が高まったと判断して、流量制御部１７に指令を送り、流量制御部１７はポンプ２のポンプ流量Ｆを小さくする。
【００４９】
これにより、電荷密度Ｑｃを常に規定値以下の値に下げることができ、静電気放電による油入機器４の破壊を未然に防ぐことができる。その結果、緊急の危険状態を回避でき、油入機器４の更なる信頼性向上が期待できる。このようなポンプ流量Ｆの低減による電荷密度Ｑｃの抑制は、油入機器４の運転を即座に停止できない場合、応急措置として特に有効である。
【００５０】
（３）他の実施形態
なお、本発明は上記の実施形態に限定されるものではない。例えば、上記の実施形態では液入電気機器として絶縁油入電気機器を例に説明したが、これに限られることはなく、例えば、液入電気機器としてパーフルオロカーボン入電気機器の流動帯電評価を行う場合も同様に行うことができる。
【図面の簡単な説明】
【００５１】
【図１】本発明に係る第１の実施の形態のブロック図。
【図２】本発明に係る第１の実施の形態において油循環系における電荷密度の評価方法を説明するためのブロック図。
【図３】本発明に係る第２の実施の形態のブロック図。
【図４】油開放流系における静電気発生量を説明するためのブロック図。
【図５】油循環系における静電気発生量を説明するためのブロック図。
【符号の説明】
【００５２】
１…貯油タンク
２…ポンプ
３…フィルタ
４…油入機器
５…フィルタタンク
６ａ、６ｂ…絶縁フランジ
７…ポンプ側配管
８…油入機器側配管
９…直流電流計
１０…配管
１１…絶縁油
１２…流量計
１３…循環時間算出部
１４…時定数算出部
１５…電荷密度算出部
１６…電荷密度測定部
１７…流量制御部
１８…電荷密度監視部
【図１】
2007303890.tif 000006
【図２】
2007303890.tif 000007
【図３】
2007303890.tif 000008
【図４】
2007303890.tif 000009
【図５】
2007303890.tif 000010